(57)【要約】【課題】  保形性が優れておりペットを収容し易いと共に、通気性が保たれたペット用のバッグを提供する。【解決手段】  箱形に形成された布製のバッグ１１であって、該バッグ１１は、対向する一対の側部布１２ａ、１２ｂと、該側部布１２ａ、１２ｂに取り付けられた持ち手１３、１３と、前記側部布１２ａ、１２ｂに隣接して対向する一対の妻部布１４ａ、１４ｂと、底部に設けられた底部布１５と、上部に開閉自在に設けられた蓋部布１６とを有し、前記側部布１２ａ、１２ｂ及び妻部布１４ａ、１４ｂの内側の一部又は全部には、剛性のメッシュ材２３が設けられている。【選択図】      図１
2006296554.tif 000002
【特許請求の範囲】
【請求項１】
箱形に形成された布製のバッグであって、
該バッグは、対向する一対の側部布と、該側部布に取り付けられた持ち手と、前記側部布に隣接して対向する一対の妻部布と、底部に設けられた底部布と、上部に開閉自在に設けられた蓋部布とを有し、
前記側部布及び妻部布の内側の一部又は全部には、剛性のメッシュ材が設けられていることを特徴とするバッグ。
【請求項２】
前記メッシュ材は、ナイロン製であると共に、樹脂によるコーティング加工が施されていることを特徴とする請求項１に記載のバッグ。
【請求項３】
前記メッシュ材の内側に、内布を配設したことを特徴とする請求項１に記載のバッグ。
【発明の詳細な説明】
【技術分野】
【０００１】
本発明は、主に小型犬や猫などのペットを収容して移動するための、バッグに関するものである。
【背景技術】
【０００２】
従来、小型犬などを収容するバッグとしては、次のようなショルダータイプのバッグが知られている。このバッグは、肩にかけるショルダーベルトと、このショルダーベルトの端部に設けられるペット収容部とから構成される（特許文献１、２参照）。
【０００３】
このバッグを使用するときには、ショルダーベルトを肩にかけて、小型犬などをペット収容部に収容してから、使用者の腰部又は腹部の近傍でペットを抱えた状態で移動する。このとき、犬の頭部はペット収容部の外に出た状態にある。
【特許文献１】特開２００２−１３６３２１号公報
【特許文献２】特開２００４−８７４２号公報
【発明の開示】
【発明が解決しようとする課題】
【０００４】
この従来例のバッグにおいては、常にペットを身近に抱えて観察できるという利点がある反面、バッグを床などに置いて一時的にペットから離れることができないので、使用者の負担が大きいという欠点がある。
【０００５】
また、このバッグは、ペット収容部に扉を設けることが構造上不可能であり、ペットが暴れて外に飛び出す恐れがある。
【０００６】
同様に、ペット収容部に扉が無いことから、電車などの公共交通機関にペットと一緒に乗車するには適さないという欠点も有している。
【０００７】
従って、従来例におけるバッグにおいては、ペットを収容した状態でバッグを床などに置けるようにすることと、扉を設けてペットの飛び出しを防ぎ、電車などに乗車できるようにすることとに解決しなければならない課題を有している。
【課題を解決するための手段】
【０００８】
前記従来例の課題を解決する具体的手段として本発明は、箱形に形成された布製のバッグであって、該バッグは、対向する一対の側部布と、該側部布に取り付けられた持ち手と、前記側部布に隣接して対向する一対の妻部布と、底部に設けられた底部布と、上部に開閉自在に設けられた蓋部布とを有し、前記側部布及び妻部布の内側の一部又は全部には、剛性のメッシュ材が設けられていることを特徴とするバッグを提供するものである。
【０００９】
また、前記メッシュ材は、ナイロン製であると共に、樹脂によるコーティング加工が施されている構成としたものであり、更に、前記メッシュ材の内側に、内布を配設した構成としたものである。
【発明の効果】
【００１０】
本発明に係るバッグは、箱形に形成された布製のバッグであって、該バッグは、対向する一対の側部布と、該側部布に取り付けられた持ち手と、前記側部布に隣接して対向する一対の妻部布と、底部に設けられた底部布と、上部に開閉自在に設けられた蓋部布とを有し、前記側部布及び妻部布の内側の一部又は全部には、剛性のメッシュ材が設けられていることによって、バッグの上部に蓋部布を有するのでペットの不意な飛び出しを防止できる。
特に、側部布及び妻部布の内側には、剛性のメッシュ材が設けられているので、側部布及び妻部布が腰を有して自立でき、高さ方向の形状維持が可能である。つまり、バッグの保形性が優れるので、ペットを収容し易く、ペットを収容した状態でバッグを床などに置くことができる。
更に、メッシュ材を用いるので、通気性が保たれ、洗濯しても縮みにくく、重量の増加が抑えられるという種々の優れた効果を奏する。
【００１１】
また、メッシュ材は、ナイロン製であると共に、樹脂によるコーティング加工が施されていることによって、メッシュ材の剛性が高まり、側部布及び妻部布がいっそう腰を有することとなる。従って、形状維持機能がさらに向上するという優れた効果を奏する。
【００１２】
更に、メッシュ材の内側に、内布を配設したことによって、メッシュ材と側部布又は妻部布との間に、ペットの抜け毛やゴミなどが侵入しないので、洗濯が容易であり、バッグの内部を清潔に保つことができる。
【発明を実施するための最良の形態】
【００１３】
次に、本発明の実施の形態について図面を参照しながら説明する。まず、図１から図３において、符号１１はバッグを示し、このバッグ１１は、箱形に形成されており、対向する一対の側部布１２ａ、１２ｂと、この側部布１２ａ、１２ｂに取り付けられた持ち手１３、１３と、側部布１２ａ、１２ｂに隣接して対向する一対の妻部布１４ａ、１４ｂと、底部に設けられた底部布１５と、上部に開閉自在に設けられた蓋部布１６とから構成される。
【００１４】
側部布１２ａ、１２ｂ、妻部布１４ａ、１４ｂ、及び底部布１５は、それぞれ略長方形状を呈すると共に、綿などの布製材料で形成されており、適度の剛性と柔軟性とを有している。また、布製材料は、一度洗濯処理を施していることが望ましい。そのように洗濯処理をしておけば、汚れたバッグ１１を洗濯したときに縮み難いからである。
【００１５】
また、側部布１２ａ、１２ｂ、妻部布１４ａ、１４ｂ、及び底部布１５は、それぞれの隣接部位を縫合して箱形に形成してもよく、あるいは、妻部布１４ａ、１４ｂと底部布１５とを一体の布製材料で形成してもよい。要するに、各部位を別部材で形成しても、隣接する部位を一体の布製材料で形成してもよいのである。
【００１６】
側部布１２ａ、１２ｂは、ポケット１７が形成されており、このポケット１７に小物が収納できるようになっている。また、側部布１２ａ、１２ｂには、換気用の小孔１８が形成されており、この小孔１８から空気が流通できるようになっている。
【００１７】
持ち手１３は、綿などの布製材料で形成されており、両方の端部１３ａ側を側部布１２ａ、１２ｂに縫合して、持ち手１３がアーチ状に形成されている。
【００１８】
一方の妻部布１４ａには、ポケット１９が形成されており、適宜の小物が収納できるようになっている。また、他方の妻部布１４ｂには、窓孔２０が形成されており、この窓孔２０には、空気が流通できるように粗めのメッシュ布２１が張設されている。更に、窓孔２０の外側の上部には、図示しない目隠し布が設けられており、この目隠し材が窓孔２０を塞ぐように垂下している。
【００１９】
側部布１２ａ、１２ｂ、及び妻部布１４ａ、１４ｂの内側には、全面に亘って又はその一部に剛性のメッシュ材２３が設けられている。このメッシュ材２３は、縁部２３ａ又は所定位置を側部布１２ａ、１２ｂ、及び妻部布１４ａ、１４ｂの内側に縫合している。
【００２０】
このように、側部布１２ａ、１２ｂ、及び妻部布１４ａ、１４ｂの内側に、剛性のメッシュ材２３が設けられているので、側部布１２ａ、１２ｂ、及び妻部布１４ａ、１４ｂが腰を有して自立できることとなり、高さ方向の形状維持が可能である。更に、メッシュ材２３を用いることから、通気性が保たれて、洗濯しても縮みにくく、全体の重量の増加が抑えられる。
【００２１】
また、メッシュ材２３は、ナイロン製であると共に、樹脂によるコーティング加工が施されていることが望ましい。このような加工が施されることによって、メッシュ材２３の剛性が高まり、側部布１２ａ、１２ｂ、及び妻部布１４ａ、１４ｂがいっそう腰を有することとなる。
【００２２】
更に、メッシュ材２３の内側には、図４に示すように、内布２６を配設してもよい。この場合は、メッシュ材２３と側部布１２ａ、１２ｂ又は妻部布１４ａ、１４ｂとの間に、ペットの抜け毛やゴミなどが侵入しない。従って、洗濯が容易であり、バッグ１１の内部を常に清潔に保つことができる。
【００２３】
底部布１５の内側には、長方形状の底板部材２４が配設されており、バッグ１１の中にペットなどを収容したときに、底部布１５が湾曲するのを防いでいる。
【００２４】
蓋部布１６は、空気が流通できるように粗めのメッシュ材で形成されており、一端部１６ａが一方の妻部布１４ａの上縁部に逢着されている。また、蓋部布１６の他の３辺には、ファスナー２５が設けられて、側部布１２ａ、１２ｂ及び他方の妻部布１４ｂの上縁部に対して、ファスナー２５を閉じたり開けたりすることができるようになっている。
【００２５】
以上のように構成されるバッグ１１は、側部布１２ａ、１２ｂ、及び妻部布１４ａ、１４ｂの内側に、剛性のメッシュ材２３が設けられているので、高さ方向の形状維持が可能であり、バッグの保形性が優れるので、ペットを収容し易く、ペットを収容した状態でバッグを床などに置くことができる。
【図面の簡単な説明】
【００２６】
【図１】本発明に係るバッグ１１の斜視図である。
【図２】本発明に係るバッグ１１の一部を破断した斜視図である。
【図３】本発明に係るバッグ１１の縦断面図である。
【図４】バッグ１１の他の実施例の縦断面図である。
【符号の説明】
【００２７】
１１  バッグ
１２ａ、１２ｂ  側部布
１３  持ち手
１３ａ端部
１４ａ、１４ｂ  妻部布
１５  底部布
１６  蓋部布
１６ａ一端部
１７  ポケット
１８  小孔
１９  ポケット
２０  窓孔
２１  メッシュ布
２３  メッシュ材
２３ａ縁部
２４  底板部材
２５  ファスナー
２６  内布
【図１】
2006296554.tif 000003
【図２】
2006296554.tif 000004
【図３】
2006296554.tif 000005
【図４】
2006296554.tif 000006